(57)【要約】【課題】誘導灯装置において、隣り合う誘導灯の同時点検による同時電池消耗を防止でき、点検の省力化ができ、また施工が容易なものとする。【解決手段】非常時に２次電池を電源として点灯する複数の誘導灯と無線により双方向通信を行うリモコンを有する誘導灯装置において、各誘導灯自身が独自に動作するための点検スケジュールが、誘導灯を設置したフロアを小エリアに区分し、隣り合う小エリアの誘導灯が同時に点検動作を行わないように、設定される。リモコンの点検スイッチが押されると（＃１）、誘導灯に設定されたアドレスがリモコンに送信される。リモコンは送信されたアドレスを読み込み（＃２）、アドレス毎に点検スケジュールの順番に基づいて点検開始の遅れ時間を計算し、点検開始命令とともにを送信する（＃３）。各誘導灯が記憶した点検結果は、巡回点検者によりリモコンとの双方向通信により収集される。【選択図】  図６
2004265773.tif 000002
【特許請求の範囲】
【請求項１】
建物内に設置され、非常時に２次電池を電源として点灯する複数の誘導灯と、この誘導灯と無線により双方向通信を行うリモコンとを有する誘導灯装置において、
建物内フロアを複数の小エリアに分割し、各エリアに最大１台の誘導灯が割り当てられると共に、各誘導灯にアドレス情報が付与され、
前記各誘導灯には、前記リモコンとの双方向通信により各誘導灯自身が独自に動作するための点検スケジュールが設定され、該点検スケジュールは、前記アドレス情報に基づき、隣接し合う小エリアの誘導灯が同時に点検動作を行わないように設定されることを特徴とする誘導灯装置。
【請求項２】
壁などの遮蔽物を誘導灯とみなして各小エリアに割り当てると共にアドレス情報を付与し、壁などを挟んで隣り合う誘導灯が隣接していないものと認識されるようにしたことを特徴とする請求項１記載の誘導灯装置。
【請求項３】
前記点検スケジュールによる点検順序を示す番号の最大値を、誘導灯が割り当てられた小エリアの数がｎ個であるとき、ｎ以下となるように組み直すことを特徴とする請求項１又は請求項２に記載の誘導灯装置。
【請求項４】
前記小エリアに優先順位を設け、優先順位の高い誘導灯について所定期間内の点検回数をその他の誘導灯のそれよりも多くしたことを特徴とする請求項１乃至請求項３のいずれかに記載の誘導灯装置。
【請求項５】
前記点検スケジュールは、建物の複数フロアについて避難経路に対応する小エリアについて同時に点検を行わないようにしたことを特徴とする請求項１乃至請求項４のいずれかに記載の誘導灯装置。
【請求項６】
前記小エリア分割に代えて、防火区画を用いることを特徴とする請求項１記載の誘導灯装置。
【発明の詳細な説明】
【０００１】
【発明の属する技術分野】
本発明は、建物内に設けられる非常用照明のように常用の電源が停電したときに２次電池などの非常用電源でランプを点灯させる誘導灯装置に関するものである。
【０００２】
【従来の技術】
従来、非常用の照明装置には常用電源（商用電源）からランプへの電力供給を強制的に停止して擬似的な停電状態とするためのスイッチが設けられており、点検者が装置本体から垂下されている引き紐を操作して上記スイッチをオンさせることによって、２次電池から電力供給してランプを非常点灯させることで２次電池の点検が行われている。誘導灯や非常灯のような非常用の照明装置は、火災や地震等による停電時に２次電池からなる非常用電源でランプを点灯（非常点灯）させるものであり、２次電池による非常点灯が正常に行われるか否かの点検を定期的に行うように消防庁告示及び建築基準法等で義務づけられている。消防庁や建築基準法の規定では、２次電池からの電力供給による誘導灯の場合には、２０分間、又は６０分間、また、非常灯の場合には３０分間、それぞれランプを有効に非常点灯させなければならないことになっている。点検者は、上記引き紐に重りを吊り下げたりして上記規定期間中スイッチをオンとし、その期間にランプが有効に非常点灯可能か否かを監視する必要がある。しかも、一般に誘導灯や非常灯は建物内の複数箇所に設置されているから、それら複数の照明装置を一つ一つ見て回って点検しなければならないから、点検者にとって非常に手間の掛かる作業である。そこで、上述のような２次電池の点検作業の自動化や省力化を図った照明装置が種々提案されている。
【０００３】
従来、一定期間ごとに点検開始信号を出力するタイマ手段と電源の切り替え手段と充電電流や誘導灯の電流を測定する点検手段を有した誘導灯装置が知られており、この装置は一定期間ごとに自動的に点検を行うものである（例えば、特許文献１参照）。また、中央監視制御ユニットと複数の個別非常照明ユニットをループ状に配線接続し、各個別非常照明ユニットの制御ユニットは電圧、電流検出手段を含む診断回路を有し、過去の診断結果を各制御ユニットが記憶し、中央監視制御ユニットの要求に応じて過去の診断結果を送信するシステムが知られている（例えば、特許文献２参照）。また、赤外線リモートコントロール受信機を備え、信号の受信確認手段を設けた誘導灯照明器具が知られている（例えば、特許文献３参照）。
【０００４】
【特許文献１】
特許第２７４４１８５号公報
【特許文献２】
特開平３−２２８４９７号公報
【特許文献３】
特開平３−２４１６９６号公報
【０００５】
【発明が解決しようとする課題】
しかしながら、上述した特許文献１に示されるような誘導灯装置は、器具単体で自動的に点検を行うことが可能であるが、隣り合う誘導灯との関係を考慮していないので、隣り合う誘導灯が同時に点検を行った場合、隣り合う誘導灯が同時に電池の放電を行って消耗してしまう。この場合、点検中、又は点検後の電池の充電中のように、電池能力が回復していないときに停電があると、これらの誘導灯は規定の点灯時間を維持することができなく、また、互いに隣接しているので、そのような点灯時間を維持できない誘導灯の存在する領域が広くなってしまうという安全上の問題がある。
【０００６】
また、特許文献２に示されるような非常照明ユニットの診断通信システムは、複数の個別非常照明ユニットをループ状の配線で接続するものであり、配線接続が必要なため、非常照明ユニットの施工時に多大な手間が必要となる。また、点検は、１本の配線上に接続された個別非常照明ユニットについて順次行われるため、大規模システムの場合、全ユニットを点検するのに時間がかかるという問題がある。
【０００７】
また、特許文献３に示されるような誘導灯照明器具は、赤外線リモコンを用いているので、離れた位置にある誘導灯に点検信号を送信し点検を行うことが可能であるが、隣り合う誘導灯との関係が考慮されていないので、隣り合う誘導灯について同時に点検を行った場合、前述したように、安全上の問題がある。
【０００８】
本発明は、上記課題を解消するものであって、隣り合う誘導灯の同時点検による同時電池消耗が防止でき、点検のための巡回回数を減らしても各照明装置の状態を把握でき、点検の手間について省力化でき、また施工が容易な誘導灯装置を提供することを目的とする。
【０００９】
【課題を解決するための手段及び発明の効果】
上記課題を達成するために、請求項１の発明は、建物内に設置され、非常時に２次電池を電源として点灯する複数の誘導灯と、この誘導灯と無線により双方向通信を行うリモコンとを有する誘導灯装置において、建物内フロアを複数の小エリアに分割し、各エリアに最大１台の誘導灯が割り当てられると共に、各誘導灯にアドレス情報が付与され、前記各誘導灯には、前記リモコンとの双方向通信により各誘導灯自身が独自に動作するための点検スケジュールが設定され、該点検スケジュールは、前記アドレス情報に基づき、隣接し合う小エリアの誘導灯が同時に点検動作を行わないように設定される誘導灯装置である。
【００１０】
上記構成においては、建物内フロアを複数の小エリアに分割し、各エリアに最大１台の誘導灯が割り当て、各誘導灯にアドレス情報を付与し、各誘導灯自身が独自に動作するための点検スケジュールを、アドレス情報に基づき、隣接し合う小エリアの誘導灯が同時に点検動作を行わないようにして、リモコンとの双方向通信により各誘導灯に設定するので、隣り合う誘導灯の同時点検による同時電池消耗が防止できる。これにより、点検後充電中に停電があると規定の点灯時間が維持されない領域が大きくなるという問題が解決される。
【００１１】
請求項２の発明は、請求項１に記載の誘導灯装置において、壁などの遮蔽物を誘導灯とみなして各小エリアに割り当てると共にアドレス情報を付与し、壁などを挟んで隣り合う誘導灯が隣接していないものと認識されるようにしたものである。
【００１２】
上記構成においては、壁などの遮蔽物を誘導灯とみなして各小エリアに割り当てると共にアドレス情報を付与し、壁などを挟んで隣り合う誘導灯が隣接していないものと認識されるようにしたので、点検スケジュールの決定が容易であり、かつ現実に即した点検スケジュールとすることができる。また、誘導灯装置の安全性の機能を確保しつつ、壁をはさんで隣り合う誘導灯については、同時に点検可能とする点検効率の改善が可能である。
【００１３】
請求項３の発明は、請求項１又は請求項２に記載の誘導灯装置において、前記点検スケジュールによる点検順序を示す番号の最大値を、誘導灯が割り当てられた小エリアの数がｎ個であるとき、ｎ以下となるように組み直すことを特徴とするものである。
【００１４】
上記構成においては、点検スケジュールによる点検順序を示す番号の最大値を、誘導灯が割り当てられた小エリアの数がｎ個であるとき、ｎ以下となるように組み直すので、隣り合わない誘導灯については同時に点検することが許容される場合に、このことを考慮して、複数の誘導灯に同じ点検順序を与えることにより、誘導灯全体の点検終了時期を早めることができ、全体の点検結果をより早く知ることができる。
【００１５】
請求項４の発明は、請求項１乃至請求項３のいずれかに記載の誘導灯装置において、前記小エリアに優先順位を設け、優先順位の高い誘導灯について所定期間内の点検回数をその他の誘導灯のそれよりも多くしたものである。
【００１６】
上記構成においては、優先順位の高い誘導灯に関して、その他の誘導灯よりも回数を多くして点検を行うことより、誘導灯装置の安全性に対する機能を高めることができる。
【００１７】
請求項５の発明は、請求項１乃至請求項４のいずれかに記載の誘導灯装置において、前記点検スケジュールは、建物の複数フロアについて避難経路に対応する小エリアについて同時に点検を行わないようにしたものである。
【００１８】
上記構成においては、複数のフロアで構成されている建物においても、フロア間の避難経路を確保しながら点検を行うことができる。
【００１９】
請求項６の発明は、請求項１に記載の誘導灯装置において、前記小エリア分割に代えて、防火区画を用いるものである。この構成においては、より現実に即して、誘導灯の隣接状況を考慮した点検スケジュールを設定することができる。
【００２０】
【発明の実施の形態】
以下、本発明を具体化した誘導灯装置の一実施形態について図面を参照して説明する。図１は誘導灯装置の構成を示す。本実施形態における誘導灯装置は、双方向通信が可能な通信部１１を内蔵した複数台の誘導灯１と、各誘導灯１と双方向通信Ｓが可能な通信部２４や表示部を備えたリモコン２から構成される。各誘導灯１は、電源線（常用電源、商用電源）３だけが接続されている。
【００２１】
図２は誘導灯１の構成を示す。誘導灯１は、誘導表示を行うランプ１２、ランプ１２を点灯させる点灯回路部１３、停電時に電源となる２次電池１４、２次電池１４を電源線３からの電力により充電する充電回路部（充電手段）１４ａ、一定の点検時間の間に２次電池１４による点灯動作を行った後に、ランプ１２及び２次電池１４の電流や電圧が基準値以上であるかどうかを判断する点検回路部（点検手段）１５、点検時間を計測するタイマ回路部１６、誘導灯１の自己アドレスや点検結果を記憶する記憶部１７、及びリモコン２との送受信を行う通信部１１を備えている。
【００２２】
図３はリモコン２の構成を示す。リモコン２は、誘導灯１に点検命令などを送信するための操作を行う操作部２１、操作部２１からの指令に基づいて送信命令等の動作を制御する制御部２２、例えば点検結果を表示する表示部２３、及び誘導灯１との双方向通信Ｓを行う通信部２４から構成されている。この双方向通信の媒体は、例えば、赤外線であり、誘導灯１の通信部１１、及びリモコン２の通信部２４は、共に赤外線受光部と赤外線送信部から構成されている。
【００２３】
図４はリモコン２の表示部２３を示す。リモコン２の表示部２３には、誘導灯１が設置されているフロアの配置図Ｍが表示してある。配置図Ｍには、階段、エレベータや出入り口が記載されている。また、配置図の縦、横は、一定区画で区分されており、その升目に応じて、フロアは小エリアに区分されている。図２に記載してある黒丸●は、誘導灯１を示しており、小エリアに最大１台だけが配置されるように、縦横の升目が区分されている。
【００２４】
本誘導灯装置において、誘導灯１には信号線が配線されていないため、施工時にアドレス設定を行う必要がある。配置図Ｍ上に誘導灯１の位置を指し示し、前出の図１に示されるリモコン操作部のアドレス設定用スイッチであるアドレススイッチ２６を押すことによってアドレス設定が行われる。このようなリモコン２の操作により、配置図Ｍの縦横の升目で示されるアドレス情報が誘導灯１に送信される。例えば、黒丸●の誘導灯１については、アドレス７−６が送信される。また、アドレス設定とともに、例えば、点検周期をリモコン２で設定し、リモコン２から誘導灯１に送信することができる。誘導灯１は、送信された点検周期に応じて、各自独立して、例えば２次電池１４の性能特性について点検を行う。点検周期は、３ヶ月乃至６ヶ月というような周期で設定される。点検結果は、各誘導灯１の記憶部１７に記憶されており、点検者が、例えば、半年に１回リモコン２を用いて各誘導灯１から点検結果の収集を行う。リモコン２からの点検結果要求信号を受けた誘導灯１の点検回路部１５は、記憶部１７に記憶している点検結果を通信部１１を介してリモコン２に送信する。点検者は、送信された内容がリモコン２の表示部２３に表示されるのを見て、巡回に来ていない間に誘導灯１の点検回路部１５によって行われた点検の結果、及び点検そのものが確実に行われたかどうかについて把握することができる。
【００２５】
次に、同一フロアにおける各誘導灯１の点検スケジュールについて説明する。図５はリモコン２内部に記憶されている点検スケジュールを示す。点検スケジュールは、誘導灯１の点検を行うと２次電池１４が消耗され、その回復のための充電時間中において２次電池１４のの能力が低下する可能性があるので、同一フロアの誘導灯１の点検状態が、重ならないようにするために点検開始時刻をずらしたスケジュールを設定するためのテーブルであり、これをもとに、点検開始遅れ時間が作成され、点検開始命令とともにリモコン２から各誘導灯１に送信される。ここに示す点検スケジュールは、前出の配置図Ｍに示す縦横の升目に対応しており、全ての升目に横番地、縦番地が割り当てられて作成されたものであり、各升目毎の点検順序を示す番号が示されている。図５に示す点検スケジュールは、最初にアドレス１−１、１−３、１−５、１−７、１−９、１−１１（横番地−縦番地と表記）に位置する誘導灯１が最初に点検され、次に、アドレス１−２、１−４、１−６、１−８、１−１０に位置する誘導灯１が点検され、次にアドレス２−１、２−３、２−５、２−７、２−９、２−１１に位置する誘導灯１が点検されるように順番を設定したものになっている。
【００２６】
図６はリモコン２が誘導灯１に点検開始命令を送信するときの処理フローを示す。リモコン２の点検スイッチ２１が押されると（＃１）、誘導灯１に設定されたアドレスがリモコン２に送信され、リモコン２は送信されたアドレスを読み込む（＃２）。アドレスを読み込んだリモコン２は、図５の点検スケジュールに示された順番に基づいて点検開始の遅れ時間を設定する（＃３）。例えば、リモコン２において、点検周期が３ヶ月（９０日）と設定されたとする。図５に示す点検順序を示す番号の最大値が３０であるから、各誘導灯１における点検が一巡し、連続して二順目の点検が行われるとすると、点検開始の遅れとして９０日／３０＝３日とすればよいことが分かる。そこで、３日ずつ点検スケジュールが進むことになる。故に、アドレス７−６に設定されている誘導灯１は、点検スケジュールにおける順番が１４なので３日×１４＝４２日の遅れ時間が設定される。その後、リモコン２は、点検開始命令とともに、図５のテーブルから設定された遅れ時間を誘導灯１に送信する（＃４）。このとき、例えば、アドレス７−６に設定されている誘導灯１は、４２日の待機後、３ヶ月周期の点検を開始し、以後、その点検を繰り返す。
【００２７】
上述した点検スケジュールの適用例を説明する。図７は誘導灯１の配置図を示し、図８は各誘導灯１の点検開始の遅れ時間を設定するための点検スケジュールを示す。図７のように各小エリアに設置された誘導灯１の点検順序は、リモコン２によって、図８に示す順番に基づいて点検開始遅れ時間が設定される。各誘導灯１を信号線で接続することなく、設定された点検スケジュールに従って各誘導灯１に点検を実施させることができる。このように、フロアに設置された誘導灯１の点検順番を所定の順番で行い、隣り合う誘導灯１に対して同時に電池の放電が行われることがないようにするので、点検後の充電中であるために２次電池１４が規定の点灯時間を維持できないような領域は、離れて配置された誘導灯１の部分だけとなり、隣り合う誘導灯１が同時にそのような領域となることがなく、安全性にすぐれた誘導灯装置が実現される。建物のフロアを小エリアに分割した例を示したが、通常、建物は防火区画に分割してある場合が多く、防火区画を同様の方法で小エリアに分割するようにしてもよい。
【００２８】
次に、本発明に係る誘導灯装置の他の実施形態について説明する。本実施形態においては、誘導灯１が設置されたフロアにおける壁やパーティションの存在を考慮した点検スケジュールが用いられる。本実施形態における誘導灯装置の基本構成は、図１と同様である。図９はリモコン２の表示部２３を示す。この図に示されるフロアでは、縦番地の９と１０の間であって、横番地の２〜４及び１１〜１５に壁Ｗ１，Ｗ２が配置されている。また、アドレス２−９、２−１０、１１−９、１１−１０には、誘導灯１が配置されている。このような誘導灯１に対して点検スケジュールを決めるとき、通常は隣り合う誘導灯１は同時に点検を行わないが、アドレス２−９と２−１０にある２つの誘導灯１、及びアドレス１１−９と１１−１０にある２つの誘導灯１は、それぞれの間に壁Ｗ１，Ｗ２があるため、同時に点検を行っても問題はなく、点検効率を考えると同時に行っても良いと考えられる。
【００２９】
しかし、図９に示すような小エリアの区分の仕方では、同時に点検を行うような点検スケジュールを組むことができない。そこで、図１０に示すように、壁がある部分は、壁専用に区画を便宜的に増設して、同じ小エリアに壁と誘導灯１を配置しないように区画を再設定し、アドレス２−１０、１１−１０に配置されている誘導灯１は、アドレス２−１１、１１−１１に配置変更を行い、下記のように点検スケジュールを決める。
【００３０】
図１１は図１０で示した誘導灯１及び壁の配置に対する点検スケジュールを示す。この点検スケジュールは、図５に示す点検スケジュールの縦番地を拡張した点検スケジュールを基にして作成されている。壁Ｗ１，Ｗ２の部分には、壁の代わりに誘導灯１が設置されていると仮定することにより、もともと壁Ｗ１，Ｗ２を挟んで隣り合っていた誘導灯１を、点検スケジュールでは互いに隣接していないように表現できるため、アドレス２−９，２−１１の誘導灯１は、同時に点検が行われる点検スケジュールの設定がなされる。アドレス１１−９，１１−１１の誘導灯１についても同様に処理される。
【００３１】
このように、フロアの配置に壁などの遮蔽物があった場合は、遮蔽物を誘導灯１とみなして各小エリアを割り当てるように位置アドレスを組むことによって、本来の誘導灯１の位置アドレスに基づいて作成されている点検スケジュールを変更することができ、壁をはさんで隣り合う誘導灯１を同時に点検するようにでき、また、壁がない部分については、本来の点検方法である、同時に点検しないスケジュールを可能にできる。本実施形態の誘導灯装置によれば、点検スケジュールの決定が容易であり、かつ現実に即した点検スケジュールとすることができる。また、前述の実施形態における特徴である誘導灯装置の安全性の機能を確保しつつ、壁をはさんで隣り合う誘導灯１については、同時に点検可能とする点検効率の改善が可能である。
【００３２】
次に、本発明に係る誘導灯装置のさらに他の実施形態について説明する。本実施形態は、同一フロアに設置された誘導灯１の点検を、効率的に行う事例を示すものである。図１２はリモコン２１の表示部２３を示す。黒丸●は設置されている誘導灯１を示す。前述の方法で点検スケジュールを決定すると、図１３に示すような点検順序となる。この点検スケジュールは、図５に示す点検スケジュールを基にして作成されているため、点検の間隔が等間隔とはならず、１２個の誘導灯１しかないのに、全体の点検結果を早くを知ることはできない。例えば、３日ずつ点検スケジュールが進む場合、アドレス６−１の誘導灯１の点検順番は２であり、アドレス９−３の誘導灯１の点検順番は５であって、このままの点検スケジュールだと、両誘導灯１の点検順番の差５−２＝３によって３日×３＝９日の間は点検が進まないことになる。そこで、誘導灯１の設置台数が少ない場合は、誘導灯１の台数に応じて点検スケジュールを組む必要があり、以下でその方法について説明する。
【００３３】
リモコン２には、図５に示す点検スケジュールが記憶されており、図１２のような誘導灯１の設置状態に対して、各誘導灯１のアドレスに応じて図５の点検スケジュールを基に、点検順序、点検の日程が組まれ、点検スケジュールは図１３のようになる。本実施形態の誘導灯装置では、さらに、図１３の点検スケジュールを基に、点検順序の順番を保ったまま、点検順序に飛びがないようにして番号を付け直して、図１４のように組み直す。その後、誘導灯１に点検命令を送信するときに、図１４の点検スケジュール及び順位間の遅れ時間、例えば３日、に基づいて各誘導灯１の点検開始の遅れ時間を計算し、点検開始命令とともにこの遅れ時間を送信する。そのため、誘導灯１全体の点検終了時期が、より早くなり全体の点検結果をより早く知ることができる。
【００３４】
本実施形態の誘導灯装置では、フロア全体の全小エリアに基づく点検スケジュールを組んだ後で、さらに、誘導灯１が割り当てられた小エリアの数がｎ個であるとき、点検順序を示す数値がｎ以下となるように点検スケジュールを組み直すものである。誘導灯１が割り当てられた小エリアの数がｎ個であれば、点検順序を示す数値は最大ｎであり、隣り合わない誘導灯１は重複して点検順番が与えられるので（同時に点検を行うので）、通常ｎ以下となる。誘導灯１の点検スケジュールに関係する小エリアの組み合わせの最小単位は、図１５に示されるように４区分の場合である。この場合、斜め方向の小エリア同士は「隣り合わない」誘導灯１であるとすると、点検順序を示す番号の最大値は３となる。本実施形態の誘導灯装置によれば、誘導灯１の台数に応じて柔軟に点検スケジュールを設定して、誘導灯１全体の点検結果を早く知ることができる。
【００３５】
次に、本発明に係る誘導灯装置のさらに他の実施形態について説明する。図１６はリモコン２の表示部２３を示す。黒丸●は誘導灯１を示しており、黒丸●の大きさの大、小により誘導灯１の点検順序の優先順位が示されている。大きい黒丸●は出入り口や非常階段への出入り口などの、特に重要度の高い避難経路に設置されている誘導灯１を示している。また、小さい黒丸●はそれ以外の一般の誘導灯１を示している。本実施形態におけるリモコン２は、前述のいずれかと同様に、各誘導灯１のアドレス情報に基づき点検順序を設定し、点検開始遅れ時間と点検開始命令を各誘導灯１に送信する。
【００３６】
本実施形態の誘導灯装置では、優先順位の高い誘導灯１について所定期間内の点検回数をその他の誘導灯１のそれよりも多くした点検スケジュール、例えば、まず優先順位の高い誘導灯１の点検を２回行った後に、優先順位の低い誘導灯１の点検を行うように設定される。図１７は、図１６の誘導灯１の配置例に対する点検スケジュールを示し、図１８は点検順序を示す。この点検スケジュールは、優先順位の高い誘導灯１（図１６中の大きい黒丸●）と優先順位の低い誘導灯１（図１６中の小さい黒丸●）を区別して組まれている。図１８に示すように、点検順序１〜６で点検が行われた誘導灯１について、点検順序７〜１２において、再度点検が繰り返されている。この優先順位の高い誘導灯１に関する２回に亘る点検の後、点検順序１３〜１５において、優先順位の低いアドレス７−７、１１−２，１１−６，１１−８、１４−３の誘導灯１について点検が行われる。以降、点検順序１〜１５の点検が繰り返えされる。このように、優先順位の高い誘導灯１に関して、その他の誘導灯１よりも多く点検を行うことより、誘導灯装置の安全性に対する機能を高めることができる。
【００３７】
次に、本発明に係る誘導灯装置のさらに他の実施形態について説明する。図１９はリモコン２の表示部２３を示す。リモコン２の表示部２３には、誘導灯１が設置されているフロアの配置図が表示してあり、図中の黒丸●は誘導灯１を示す。図１９に示す誘導灯１は、縦番地と横番地によって、小エリアに区分されており、その小エリアによってアドレス設定がなされているとともに、さらに、そのアドレスには建物の階数４１を示すフロア情報も含まれている。例えば、アドレス１−６（横番地１、縦番地６という意味）に記載される誘導灯１は、例えば１階に存在する場合、１−１−６（１階の横番地１、縦番地６という意味）というアドレス情報を有することになる。本実施形態における誘導灯１の点検は、前述のいずれかと同様に、誘導灯１のアドレス情報に基づき行われる。さらに、本実施形態では、建物の上下フロアの誘導灯１のアドレスも考慮しており、以下に示すように建物の複数フロアの避難経路に対応する小エリアについては同時に点検を行わない点検スケジュールが設定される。
【００３８】
図２０は、同一フロア内に設置された誘導灯１の点検順序を示す。図２１はリモコン２に記憶されている誘導灯１の設置された６階建ての建物Ｂを示す。また、図２２はリモコン２に記憶された非常階段ＵＳ近くに属する建物内の全フロア誘導灯１のリストを示す。リモコン２には、１フロアだけのものでなく６フロア分の全誘導灯１のアドレスが記憶されている。図２０の点検順序は、停電が起こった時にも避難経路が確保されるように、フロアの上下で隣り合う誘導灯１について同時に点検を行わないように設定されている。建物Ｂ内の誘導灯１の点検スケジュールは、６フロアについてフロアごとに管理されている。非常階段ＵＳ近くのアドレス１−３−９の誘導灯１に対しては、図２２に示すように記憶した階段近くに属する誘導灯１のリストに基づき、同一階段で２つ以上の誘導灯１が同時に点検を行うスケジュールを回避するように各フロア毎の点検スケジュールにおける点検順序が再設定される。このようにして設定された点検スケジュールに基づいて、点検開始遅れ時間が設定され、各誘導灯１に送信される。
【００３９】
本実施形態の誘導灯装置によれば、複数のフロアで構成されている建物においても、フロア間の避難経路を確保しながら点検を行うことができ、しかも、本発明では、誘導灯１が通信線などで接続されていないため、既存の建物にも施工しやすいという効果がある。
【００４０】
次に、本発明に係る誘導灯装置のさらに他の実施形態について説明する。図２３及び図２４はリモコンの表示部２３を示す。本実施形態におけるリモコンは、図３に示したものと基本構成は同様であるが、通常はフロアの一角に設置されている（リモコン６０）点、及び後述するように電波による通信部を有する点が異なる。図２３のリモコン６０の表示部２３には、誘導灯１が設置されているフロアの配置図が表示されている。図２３に黒丸●により示されている各誘導灯１は、その配置に応じて、優先順位が設けられている。例えば、アドレス１−６，８−１，８−１１，１５−６の誘導灯１は、出入口Ｅに設けられているため、非常時に人が集中する場所であり、他の誘導灯１よりも重点的に点検して保守が行われる必要がある。
【００４１】
本誘導灯装置において、上記のような優先順位の高い誘導灯１は、誘導灯１に異常が発生した場合、自らリモコン６０に異常を知らせる機能を有している。そのため、優先順位の高い誘導灯１は、通信部１１に電波による小電力無線の送受信部を備えており、リモコン６０も通信部２４に電波による小電力無線の送受信部を備えている。また、これらの誘導灯１は、点検命令がリモコン６０から送信された時点から前述のいずれかと同様の点検を行っている。そして、例えば、優先順位の高いアドレス１５−６の誘導灯１は、点検結果が異常である場合、自発的に異常を示す信号電波を発信し、図２３に示されるフロアの端に配置された、電波受信機を内蔵しているリモコン６０に送信する。異常信号を受信したリモコン６０の表示部２３は、図２４に示されるように、誘導灯１の配置図において異常信号を送信した誘導灯１の表示部分に、例えば点滅表示をすると共に、異常があったことを音声で点検者に知らせるようになっている。本誘導灯装置によれば、誘導灯１を通信線で結合することなく、誘導灯１の異常を迅速に検知することが可能となる。
【００４２】
なお、本発明は、上記構成に限られることなく種々の変形が可能である。上記した実施例では、各誘導灯から誘導灯のアドレスを読み込む例を示した（図６）が、リモコンからアドレス情報を誘導灯に向けて送信し、誘導灯にアドレスを設定するようにしてもよい。
【図面の簡単な説明】
【図１】本発明の一実施形態に係る誘導灯装置の構成図。
【図２】同上装置を構成する誘導灯の構成図。
【図３】同上装置を構成するリモコンの構成図。
【図４】同上装置におけるリモコンの表示部に表示されたフロアの配置図。
【図５】同上装置における点検スケジュールを示す図。
【図６】同上装置におけるリモコンが誘導灯に点検開始命令を送信するときの処理フロー図。
【図７】同上装置におけるリモコン表示部に表示されたフロアの配置図。
【図８】同上装置における点検スケジュールを示す図。
【図９】本発明の他の実施形態に係る誘導灯装置を構成するリモコン表示部に表示されたフロアの配置図。
【図１０】同上装置におけるリモコンの表示部に表示されたフロアの配置図。
【図１１】同上装置における点検スケジュールを示す図。
【図１２】本発明のさらに他の実施形態に係る誘導灯装置を構成するリモコン表示部に表示されたフロアの配置図。
【図１３】同上装置における点検スケジュールを示す図。
【図１４】同上装置における点検スケジュールを示す図。
【図１５】同上装置における点検スケジュールを示す図。
【図１６】本発明のさらに他の実施形態に係る誘導灯装置を構成するリモコン表示部に表示されたフロアの配置図。
【図１７】同上装置における点検スケジュールを示す図。
【図１８】同上装置における点検順序の図。
【図１９】本発明のさらに他の実施形態に係る誘導灯装置を構成するリモコン表示部に表示されたフロアの配置図。
【図２０】同上装置における点検順序の図。
【図２１】同上装置が設置される建物の図。
【図２２】同上装置における点検順序の図。
【図２３】本発明のさらに他の実施形態に係る誘導灯装置を構成するリモコン表示部に表示されたフロアの配置図。
【図２４】同上装置におけるリモコンの表示部に表示されたフロアの配置図。
【符号の説明】
１  誘導灯
２、６０  リモコン
３  電源線
１１  通信部
１２  ランプ
１３  点灯回路部
１４  ２次電池
１４ａ  充電回路部
１５  点検回路部
１６  タイマ回路部
２４  通信部
２５  記憶部
【図１】
2004265773.tif 000003
【図２】
2004265773.tif 000004
【図３】
2004265773.tif 000005
【図４】
2004265773.tif 000006
【図５】
2004265773.tif 000007
【図６】
2004265773.tif 000008
【図７】
2004265773.tif 000009
【図８】
2004265773.tif 000010
【図９】
2004265773.tif 000011
【図１０】
2004265773.tif 000012
【図１１】
2004265773.tif 000013
【図１２】
2004265773.tif 000014
【図１３】
2004265773.tif 000015
【図１４】
2004265773.tif 000016
【図１５】
2004265773.tif 000017
【図１６】
2004265773.tif 000018
【図１７】
2004265773.tif 000019
【図１８】
2004265773.tif 000020
【図１９】
2004265773.tif 000021
【図２０】
2004265773.tif 000022
【図２１】
2004265773.tif 000023
【図２２】
2004265773.tif 000024
【図２３】
2004265773.tif 000025
【図２４】
2004265773.tif 000026